(57)【要約】【課題】相手コネクタソケットに接続する際に、相手コネクタソケットが損傷することを防止できるコネクタプラグを提供すること。【解決手段】本発明のコネクタプラグは、絶縁本体と、前記絶縁本体に装着される複数の導電端子と、前記絶縁本体の外側を覆い、主体部と、嵌合部と、前記主体部と嵌合部とを連接するため、前記主体部の一側から延在するように形成される連接部とを含む金属シールドと、を含み、前記連接部には該連接部の剛性を低下させるための切欠きが形成され、前記連接部によって、前記嵌合部が主体部に対して可撓性変形を生じ得る。【選択図】図１
2007180008.tif 000002
【特許請求の範囲】
【請求項１】
絶縁本体と、
前記絶縁本体に装着される複数の導電端子と、
前記絶縁本体の外側を覆い、主体部と、嵌合部と、前記主体部と嵌合部とを連接するため、前記主体部の一側から延在するように形成される連接部と、を含む金属シールドと、を含むコネクタプラグにおいて、
前記連接部には該連接部の剛性を低下させるための切欠きが形成され、前記連接部によって、前記嵌合部が主体部に対して可撓性変形を生じ得ることを特徴とするコネクタプラグ。
【請求項２】
前記金属シールドは、互いに組付けられる上側シールドと下側シールドを含むことを特徴とする、請求項１に記載のコネクタプラグ。
【請求項３】
前記絶縁本体は、前記金属シールドの主体部に収容する基部と前記金属シールドの嵌合部に収容する舌片を含むことを特徴とする、請求項１に記載のコネクタプラグ。
【請求項４】
前記導電端子は、
前記絶縁本体の舌片に収容するコンタクト部と、
前記絶縁本体の基部に固持される固持部と、
前記絶縁本体に突設されるテール部と、を含み、
自身のテール部が上下方向で対向するように配置されることを特徴とする、請求項３に記載のコネクタプラグ。
【請求項５】
コネクタプラグはロック部材を有し、
該ロック部材は、
ロックアームと、
前記絶縁本体に係合できる係合アームと、
前記ロックアームと係合アームとを連接する弾性アームと、
下側錠止凸部と、を含み、
前記ロックアームの先端に相手コネクタソケットに係合するロック部が設けられることを特徴とする、請求項１に記載のコネクタプラグ。
【請求項６】
前記連接部は、前記金属シールドの主体部の天板から延在するように形成されることを特徴とする、請求項１に記載のコネクタプラグ。
【請求項７】
前記絶縁本体に位置決め凸部が設けられ、
金属シールドの嵌合部に前記位置決め凸部に係合する位置決め片が形成されることを特徴とする、請求項１に記載のコネクタプラグ。
【請求項８】
前記絶縁本体の位置決め凸部には、前記金属シールドの位置決め片を収容するために階段状の収容孔が形成されることを特徴とする、請求項７に記載のコネクタプラグ。
【請求項９】
前記絶縁本体の基部には第１収容溝が設けられ、
前記ロック部材の係合アームが前記第１収容溝に保持され、
前記ロック部材のロックアームが前記絶縁本体の第１収容溝に貫通することを特徴とする、請求項５に記載のコネクタプラグ。
【請求項１０】
前記絶縁本体の舌片に第２収容溝が形成され、
前記ロック部材のロック部が前記絶縁本体の第２収容溝に収容されることを特徴とする、請求項５に記載のコネクタプラグ。
【請求項１１】
コネクタプラグは、当接部を有する阻止部材を含み、
前記絶縁本体の基部に上側干渉用穴が形成され、
前記阻止部材の当接部が前記上側干渉用穴に収容されて前記導電端子を押圧することを特徴とする、請求項４に記載のコネクタプラグ。
【請求項１２】
前壁に位置決め凸塊が形成される基部が設けられる絶縁本体と、
前記絶縁本体に装着される複数の導電端子と、
前記絶縁本体の外側を覆い、主体部と、主体部に対して可撓性的変形を生じ得る嵌合部と、前記主体部と嵌合部とを連接するための連接部と、を含む金属シールドと、
を含むことを特徴とするコネクタプラグ。
【請求項１３】
前記金属シールドの嵌合部には位置決め片が形成され、
前記絶縁本体の位置決め凸部には前記位置決め片を収容するための収容孔が形成されることを特徴とする、請求項１２に記載のコネクタプラグ。
【請求項１４】
前記位置決め凸部は前記金属シールドの連接部に当接する頂面を有し、
前記収容孔は前記金属シールドの嵌合部に当接する内頂壁を有することを特徴とする、請求項１２に記載のコネクタプラグ。
【発明の詳細な説明】
【技術分野】
【０００１】
本発明は、電気コネクタに関し、特にコネクタプラグに関するものである。
【背景技術】
【０００２】
従来技術は特許文献１に示すように、プリント配線基板等に搭載されるコネクタソケットに接続使用されるコネクタプラグにおいて、複数の接点導体（コンタクト）を支持する内部絶縁体の外部をシールドケースで覆い、該シールドケースの接続コード側端部外面を外部絶縁モールドで被覆する。
【特許文献１】特開２０００−２５２０３７号公報
【０００３】
このようなコネクタプラグの場合に、相手コネクタ即ちコネクタソケットは、電子部品の内部に配置され、コネクタプラグがコネクタソケットに嵌合することにより、コネクタソケットとコネクタプラグとの接続が達成できる。
【０００４】
ところが、パーソナルコンピュータが小型化するに従って、使用されるコネクタソケットとコネクタプラグが小型化されて、今業界のコネクタの体積が小さくなっている。コネクタプラグがコネクタソケットに接続する際に、コネクタプラグの挿入力が大き過ぎるか又は適切でないと、コネクタプラグとコネクタソケットが損傷する恐れがある。また、コネクタソケットが電子部品の内部に配置されるので、コネクタソケットが損傷すると、電子部品の使用に影響する。そこで、上述した欠点に鑑み、新たなコネクタプラグを開発することが必要である。
【発明の開示】
【発明が解決しようとする課題】
【０００５】
本発明は、相手コネクタソケットに接続する際に、相手コネクタソケットが損傷するのを防止できるコネクタプラグを提供することを目的とする。
【課題を解決するための手段】
【０００６】
前記目的を達成するために、本発明によれば、コネクタプラグであって、絶縁本体と、前記絶縁本体に装着される複数の導電端子と、前記絶縁本体の外側を覆い、主体部と、嵌合部と、前記主体部と嵌合部と、を連接するため、前記主体部の一側から延在するように形成される連接部とを含む金属シールドと、を含み、前記連接部には該連接部の剛性を低下させるための切欠きが形成され、前記連接部によって、前記嵌合部が主体部に対して可撓性変形を生じ得ることを特徴とするコネクタプラグが提供される。
【０００７】
また、本発明によれば、コネクタプラグであって、前壁に位置決め凸塊が形成される基部が設けられる絶縁本体と、前記絶縁本体に装着される複数の導電端子と、前記絶縁本体の外側を覆い、主体部と、主体部に対して可撓性変形を生じ得る嵌合部と、前記主体部と嵌合部とを連接するための連接部とを含む金属シールドと、を含むことを特徴とするコネクタプラグが提供される。
【発明の効果】
【０００８】
従来の技術に比べ、本発明は以下の長所がある。コネクタプラグは金属シールドの嵌合部が主体部に対して可撓性変形を生じ得ることで、コネクタプラグが相手コネクタソケットに嵌合する挿入力が大き過ぎるか又は挿入力が適切でない場合に、まず嵌合部を損傷するので、相手コネクタソケットが損傷することを防止できる。
【発明を実施するための最良の形態】
【０００９】
図１〜図７に基づいて、本発明のコネクタプラグについて説明する。本発明のコネクタプラグ１００は、金属シールド１と、絶縁本体２と、ロック部材３と、複数の導電端子４と、阻止部材５と、を含む。
【００１０】
前記金属シールド１は、金属板からなり、上側シールド１１と、下側シールド１２と、を有する。上側シールド１１は、主体部１１１と、連接部１１５と、嵌合部１１２と、を含み、主体部１１１は、天板１１３と、両側板１１４と、切口（参照記号なし）が貫通する底板１１７と、が形成される。前記天板１１３には、第１切欠き１１３０と、第２切欠き１１３１と、が形成され、側板１１４には、第１開口１１４０と、第２開口１１４１と、がそれぞれ形成され。底板１１７には、天板１１３に向かって延出するように形成される一対の弾性片１１７０が配置される。
【００１１】
前記連接部１１５は、主体部１１１と嵌合部１１２を連接するように配置され、主体部１１１の天板１１３から延在するように形成され、勿論、該連接部１１５は、主体部１１１の側板１１４と底板１１７から延在するように形成し得る。連接部１１５には、該連接部１１５の剛性を低下させるために切欠き１１６を形成し得る。
【００１２】
前記嵌合部１１２は、相手コネクタソケット（図示せず）に嵌合するように、筒状の収容部１１８と、該収容部１１８の先端に位置し、Ｄ字形状を呈する嵌合口（参照符号なし）と、を有する。前記収容部１１８の頂壁に一対の開口１１８０が形成され、収容部１１８の両側から後向きに延出するように位置決め片１１８１がそれぞれ形成される。該嵌合部１１２が前記連接部１１５だけによって主体部１１１に連接することで、該嵌合部１１２が主体部１１に対して可撓性変形を生じ得る。
【００１３】
下側シールド１２は、底板１２１と、前板１２３と、後板１２２と、側板１２４と、前記底板と前板１２３と後板１２２と側板１２４からなる収容空間（参照符号なし）と、を有する。前記後板１２２には、ケーブルを収容するための取付孔１２２０が設けられ、前記下側シールド１２の側板１２４には、前記上側シールド１１の第１開口１１４０と第２開口１１４１とにそれぞれ対応する凸部１２４０と第３開口１２４１がそれぞれ形成される。底板１２１の上側シールド１１の第２切欠き１１３１に対応する箇所には第３切欠き１２５が形成される。
【００１４】
図２を参照すると、複数の導電端子４は、コンタクト部４３と、テール部４１と、コンタクト部４３とテール部４１を連接するための固持部４２と、を含む。該複数の導電端子４は信号端子と電力端子を含み、導電端子４のテール部４１が上下方向で対向するように配置されることによって、隣接する導電端子４のテール部４１の間の距離が広くなり、ケーブルの導体との接続操作に有利になっている。
【００１５】
前記ロック部材３は、構造の同じ部材からなり、ロックアーム３１と、係合アーム３２と、弾性アーム３３と、を含む。該ロックアーム３１の先端には、ロック部３５と、該ロック部３５の外側面に位置するテーパー面３６と、が形成され、該ロック部３５の内側面
はロックアーム３１に垂直な平面である。前記係合アーム３２には、下向きに突出する上側錠止凸部３７と絶縁本体２に干渉して係合する突刺（参照符号なし）が設けられ、前記ロックアーム３１の上側錠止凸部３７に対応し、上向きに突出するような下側錠止凸部３４が設けられる。
【００１６】
図２と図３を参照すると、前記絶縁本体２は、基部２１と、基部２１から延出するように形成される舌片２２と、を含む。基部２１は、両側壁（参照符号なし）に係合凸部２１２がそれぞれ設けられ、中央に前記導電端子４の固持部４２に対応して収容するために基部２１を貫通する複数の第１端子溝２１１が形成される。前記第１端子溝２１１の両側には、前記ロック部材３を収容するための第１収容溝２１３が形成される。前記基部２１の前壁に一対の位置決め凸部２１４が形成され、該位置決め凸部２１４は前記第１収容溝２１３の両側にそれぞれ形成され、階段状の収容孔２１６がそれぞれ形成される。
【００１７】
前記絶縁本体２の基部２１は、その上下壁に第１端子溝２１１に連通する上側干渉用穴２１５と、第１端子溝２１１に遠離する下側用干渉用穴（図示せず）とがそれぞれ形成される。前記舌片２２は、導電端子４のコンタクト部４３に対応して収容するために、第１端子溝２１１に連通する複数の第２端子溝２２１が形成される。舌片２２の両側には錠止片２２２がそれぞれ外向きに突出するように形成され、各錠止片２２２と舌片２２の両側との間に前記ロック部材３のロックアーム３１の先端を収容するための第２収容溝２２３が形成される。前記ロックアーム３１の先端が第２収容溝２１３に収容されることにより、ロック部材３の横幅方向への移動が制限される。
【００１８】
前記阻止部材５は、前記絶縁本体２の上側干渉用穴２１５に装着され、阻止部５１と当接部５２を含む。
【００１９】
図５乃至図７を参照すると、取り付ける際に、導電端子４は後方から絶縁本体２の第１端子溝２１１と第２端子溝２２１に装着され、その固持部４２が基部２１の第１端子溝２１１内に収容され、そのコンタクト部４３が舌片の第２端子溝２２１内に収容され、そのテール部４１が絶縁本体２の外方に露出する。前記阻止部材５が上方から絶縁本体２の上側干渉用穴２１５に挿着され、その当接部５２が導電端子４に押圧され、前記阻止部５１が上側干渉用穴２１５に干渉して係合し、該阻止部５１の頂面が絶縁本体２の基部２１の頂面より低くなるので、該阻止部５１の頂面と上側干渉用穴２１５の内壁とには収容空間（参照符号なし）が形成される。
【００２０】
前記ロック部材３は、後方から絶縁本体２の第１収容溝２１３内に装着され、その上下側錠止凸部３４、３７が絶縁本体２の後壁に錠止されて当接し、その弾性アーム３３が絶縁本体２の外方に露出する。ロック部材３の係合アーム３２は絶縁本体２の基部２１に干渉して係合し、前記ロックアーム３１が絶縁本体２の基部２１を貫通することにより、該ロックアーム３１の先端が前記第２収容溝２２３内に収容される。これらによって、ロックアーム３２の垂直方向への移動が制限される。
【００２１】
前記絶縁本体２は、後方から上側シールド１１に実装され、絶縁本体２の基部２１が上側シールド１１の主体部１１２に収容される。絶縁本体２が上側シールド１１に実装されたばかりである際に、絶縁本体２の底壁の押圧で上側シールド１１の弾性片１１７０は初期状態から下向きに弾性的移動が生じることによって、絶縁本体２が上側シールド１１に案内されて実装される。絶縁本体２が上側シールド１１に完全に実装された際に、前記弾性片１１７０が初期状態に回復するとともに、前記ロック部材３の下側錠止凸部３７にそれぞれ当接し、これによって、ロック部材３の後方への移動が制限され、ロック部材３が絶縁本体２に保持される。また、絶縁本体２の底板１１７に切口が貫通して形成されることで、絶縁本体２の基部２１に設けられる係合凸部２１２が上側シールド１１の両側板１１４に設けられる第２開口１１４１に容易に係合する。
【００２２】
絶縁本体２の舌片２２が上側シールド１１の筒状の収容部１１８に収容される。また、前記連接部１１５には、連接部１１５の剛性を低下させるために切欠き１１６が形成されるとともに、該嵌合部１１２が主体部１１に対して可撓性変形を生じ得ることで、コネクタプラグ１００が相手コネクタソケット（図示せず）に嵌合する挿入力が大き過ぎるか又は挿入力が適切でない場合に、まずコネクタプラグ１００の嵌合部１１２を損傷するので、相手コネクタソケットの損傷が防止できる。
【００２３】
取り付ける際に、絶縁本体２の舌片２２が筒状の収容部１１８に完全に収容された時、前記上側シールド１１の位置決め片１１８１が絶縁本体２の位置決め凸部２１４の階段状の収容孔２１６内にそれぞれ係合して収容される。この際に、位置決め凸部２１４の頂面が上側シールド１１の連接部１１５に当接し、収容孔２１６の内頂壁が上側シールド１１の嵌合部１１２に当接し、収容孔２１６の他内側壁が前記筒状の収容部１１８の外側面に係合して当接し、収容部１１８の後側が絶縁本体２の基部２１の前壁に当接し、これらによって嵌合部１１２の移動が制限されるとともに嵌合部１１２の収容部１１８に収容するかどうかことが検出できる。
【００２４】
取り付けた際に、前記ロック部材３の上側錠止凸部３４が上側シールド１１の第１切欠き１１３０の下方にそれぞれ対応して位置する。ロック部材３のロック部３５が上側シールド１１の嵌合部１１２の開口１１８０にそれぞれ収容され、且つ該ロック部３５が上側シールド１１に部分に露出し、相手コネクタソケットのロック部材に係合している。前記下側シールド１２が下方から上向きに上側シールド１１に組み付けられ、下側シールド１２の両側板１２４に形成される凸部１２４０が上側シールド１１の両側板１１４に設けられる第１開口１１４０内にそれぞれ係合し、上側シールド１１の第２開口１１４０に対応する下側シールド１２の第３開口１２４１が絶縁本体２の係合凸部２１２に係合される。
【００２５】
コネクタプラグ１００を使用する際に、前記導電端子４のテール部４１は、シールド１の取付孔１２２０に装着されたケーブル（図示せず）の導体に半田付け接続される。該コネクタプラグ１００の外側を外部絶縁モールド（図示せず）で被覆し、外部絶縁モールドと上側シールド１１との間に操作部材（図示せず）を配置し、該操作部材には、上側シールド１１の第１開口１１３０に挿入され、前記ロック部材３の上側錠止凸部３４に押圧可能な押圧部が設けられる。
【００２６】
コネクタプラグ１００が相手コネクタソケットに嵌合する際に、前記操作部材がロック部材３の上側錠止凸部３４を押圧することによりロック部材３を下向きに移動させ、更に、該ロック部材３が相手コネクタソケットのロック部材（図示せず）に係合する。嵌合する過程において、相手コネクタソケットのロック部材はコネクタプラグ１００のロック部材３のテーパー面３６に沿って摺動すると、ロック部材３に下向きの作用力と後向きの作用力が加わる。前記下向きの作用力により、ロック部材３のロックアーム３１の下向きの移動が生じるとともに、ロック部３５を収容部１１８に完全に収容させ、更に前記嵌合部１１２が相手コネクタソケットに挿着し、前記導電端子４が相手コネクタソケットの導電端子に電気的に接続している。完全に嵌合した際に、ロック部３５は嵌合部１１２の収容部１１８に突出して相手コネクタソケットのロック部材に係合し、両コネクタの導電端子の信号伝送の安定性が確保される。
【００２７】
以上、本発明に関する好ましい実施形態を参照して詳細に説明したが、実施形態はあくまでも例示的なものであり、これらに限定されるものではない。また前記の説明は、本発明に基づきなし得る細部の修正或は変更など、何れも本発明の請求範囲に属するものである。
【図面の簡単な説明】
【００２８】
【図１】本発明に係るコネクタプラグの組立斜視図である。
【図２】本発明に係るコネクタプラグの分解斜視図である。
【図３】本発明に係るコネクタプラグの他の角度から見た組立斜視図である。
【図４】本発明に係るコネクタプラグの上側シールドの組立斜視図である。
【図５】本発明に係るコネクタプラグの組立斜視図であり、上下側シールドが絶縁本体に組み付けられない状態の組立斜視図である。
【図６】本発明に係るコネクタプラグの組立斜視図であり、下側シールドが絶縁本体組に組み付けられない状態の組立斜視図である。
【図７】図５に示すコネクタプラグの他の角度から見た組立斜視図である。
【符号の説明】
【００２９】
１００  コネクタプラグ
１  金属シールド
１１  上側シールド
１２  下側シールド
１１１  主体部
１１２  嵌合部
１１３  天板
１１３０  第１切欠き
１１３１  第２切欠き
１１４、１２４  側板
１１４０  第１開口
１１４１  第２開口
１１５  連接部
１１６  切欠き
１１７、１２１  底板
１１７０  弾性片
１１８  収容部
１１８０  開口
１１８１  位置決め片
１２１  底板
１２２  後板
１２２０  取付孔
１２３  前板
１２４  側板
１２４０  凸部
１２４１  第３開口
１２５  第３切欠き
２  絶縁本体
２１  基部
２１１  第１端子溝
２１２  係合凸部
２１３  第１収容溝
２１４  位置決め凸部
２１５  上側干渉用穴
２１６  収容孔
２２  舌片
２２１  第２端子溝
２２２  錠止片
２２３  第２収容溝
３  ロック部材
３１  ロックアーム
３２  係合アーム
３３  弾性アーム
３４  上側錠止凸部
３５  ロック部
３６  テーパー面
３７  下側錠止凸部
４  導電端子
４１  テール部
４２  固持部
４３  コンタクト部
５  阻止部材
５１  阻止部
５２  当接部
【図１】
2007180008.tif 000003
【図２】
2007180008.tif 000004
【図３】
2007180008.tif 000005
【図４】
2007180008.tif 000006
【図５】
2007180008.tif 000007
【図６】
2007180008.tif 000008
【図７】
2007180008.tif 000009